(57)【要約】【課題】  ＩＤ情報を読み込んで電気錠を制御する入退出管理システムと、カメラ画像を保存・検索するカメラ監視システムを連動させるためには、両システムの時刻が正確に一致していなければならず、システム管理が煩雑になっていたという課題を解決する。【解決手段】  カードリーダがＩＤ情報を読み込む毎に重複しないイベント番号を割り当て、このイベント番号をカメラ画像に付加して保存し、イベント番号をキーにして画像を検索するようにした。システム内の各要素の時刻が一致していなくても、簡単に目的の画像を取り出すことができる。【選択図】                    図１
2007317055.tif 000002
【特許請求の範囲】
【請求項１】
挿入されたＩＤカードからＩＤ情報を読み込み、このＩＤ情報を出力するカードリーダと、
前記ＩＤ情報が入力されると、このＩＤ情報にイベント番号を付与し、このイベント番号と前記ＩＤ情報および前記カードリーダと対になったカメラのカメラ番号を付加した録画指示を出力する入退管理コントローラと、
前記録画指示が入力されると、前記カメラ番号のカメラの画像データに前記イベント番号を付加して保存する画像記録装置と、
イベント番号をキーとして、前記画像記録装置が保存した画像データを検索して表示する画像検索装置と、
を具備したことを特徴とする入退出管理システム。
【請求項２】
前記画像記録装置は、イベント番号に加えて、ＩＤ情報およびカメラ番号を付加して画像データを保存するようにしたことを特徴とする請求項１記載の入退出管理システム。
【請求項３】
前記入退管理コントローラは、入力されたＩＤ情報が予め登録されたＩＤ情報に一致すると、前記カードリーダと対になった扉の電気錠を開錠するようにしたことを特徴とする請求項１若しくは請求項２記載の入退出管理システム。
【請求項４】
前記画像記録装置は、録画指示に応じて複数の画像データを保存する際に、これらの画像データの各々に時刻を付加して保存するようにしたことを特徴とする請求項１乃至請求項３いずれかに記載の入退出管理システム。
【発明の詳細な説明】
【技術分野】
【０００１】
本発明は、入退出を管理するシステムに関し、監視カメラと連動させることができる入退出管理システムに関するものである。
【背景技術】
【０００２】
立ち入りが制限されている建造物への入退出を監視するためには、入退出する人物を特定する入退出管理システムと、入退出する人を監視するカメラ監視システムを組み合わせて行う。このシステムを図６に示す。
【０００３】
図６において、入退出管理システムは扉の横に設置され、入退出する人が所持するＩＤ(Identification)カードを読み取るカードリーダ３１〜３ｎ、扉の開閉を制御する電気錠４１〜４ｎ、これらの機器を制御する入退管理コントローラ２２および入退管理用パソコン５２で構成される。また、カメラ監視システムは、ネットワークカメラ１１〜１ｎ、これらネットワークカメラ１１〜１ｎの画像データを保存する画像記録装置２１および画像記録装置２１に保存された画像データを表示する画像表示装置５１で構成される。これらの装置はネットワーク５３で接続される。
【０００４】
なお、ネットワークカメラ１１〜１ｎはそれぞれカードリーダ３１〜３ｎと対になっている。すなわち、ネットワークカメラ１１〜１ｎは対になったカードリーダ３１〜３ｎの付近に設置される。
【０００５】
建造物に入退出するときは、ＩＤカードをカードリーダ３１〜３ｎのいずれかに差し込む。カードリーダ３１〜３ｎは差し込まれたＩＤカードからＩＤ情報を読み出し、入退管理コントローラ２２に送信する。入退管理コントローラ２２は、受信したＩＤ情報が予め登録されているＩＤ情報と一致すると、電気錠４１〜４ｎを開錠する。また、対になったネットワークカメラのカメラ番号、ＩＤ情報、時刻等の入退出履歴情報を入退管理用パソコン５２に送信する。入退管理用パソコン５２は、この履歴情報を保存する。
【０００６】
ネットワークカメラ１１〜１ｎは扉の付近に設置され、入退出する人物の画像をＪＰＥＧ(Joint Photographic Experts Group)等の画像データに変換し、ネットワーク５３を介して画像記録装置２１に送信する。画像記録装置２１は、受信した画像データを保存する。
【０００７】
入退出した人物を画像で特定するためには、入退管理用パソコン５２に格納された入退出履歴情報からカメラ番号と時刻を取り出し、このカメラ番号と時刻を画像記録装置２１に送信して検索を要求する。画像記録装置２１は、受信したカメラ番号と時刻に基づいて保存された画像データを検索し、ヒットした画像データを入退管理用パソコン５２に送信する。入退出管理用パソコン５２は、受信した画像データを自身の表示器に表示する。
【０００８】
【特許文献１】特開平１０−０３７５５１号公報
【発明の開示】
【発明が解決しようとする課題】
【０００９】
しかしながら、このようなシステムでは、画像データの検索に時刻を用いているので、入退出管理システムとカメラ監視システムの時刻が正確に一致していなければならない。２つのシステムの時刻を一致させるためには時刻同期の仕組み、たとえば時刻同期のためのサーバが別途必要になる。そのため、システムが複雑になり、かつ管理が難しくなるという課題があった。
【００１０】
従って本発明の目的は、入退出の履歴情報から簡単に画像データを取り出すことができる入退出管理システムを提供することにある。
【課題を解決するための手段】
【００１１】
このような課題を達成するために、本発明のうち請求項１記載の発明は、
挿入されたＩＤカードからＩＤ情報を読み込み、このＩＤ情報を出力するカードリーダと、
前記ＩＤ情報が入力されると、このＩＤ情報にイベント番号を付与し、このイベント番号と前記ＩＤ情報および前記カードリーダと対になったカメラのカメラ番号を付加した録画指示を出力する入退管理コントローラと、
前記録画指示が入力されると、前記カメラ番号のカメラの画像データに前記イベント番号を付加して保存する画像記録装置と、
イベント番号をキーとして、前記画像記録装置が保存した画像データを検索して表示する画像検索装置と、
を具備したものである。システム内の各要素の時刻が一致しなくても、入退出履歴から画像データを簡単に取り出すことができる。
【００１２】
請求項２記載の発明は、請求項１記載の発明において、
前記画像記録装置は、イベント番号に加えて、ＩＤ情報およびカメラ番号を付加して画像データを保存するようにしたものである。より正確に画像データを取り出すことができる。
【００１３】
請求項３記載の発明は、請求項１若しくは請求項２記載の発明において、
前記入退管理コントローラは、入力されたＩＤ情報が予め登録されたＩＤ情報に一致すると、前記カードリーダと対になった扉の電気錠を開錠するようにしたものである。不法侵入を防止できる。
【００１４】
請求項４記載の発明は、請求項１乃至請求項３いずれかに記載の発明において、
前記画像記録装置は、録画指示に応じて複数の画像データを保存する際に、これらの画像データの各々に時刻を付加して保存するようにしたものである。連続した画像データを時間を追って取り出すことができる。
【発明の効果】
【００１５】
以上説明したことから明らかなように、本発明によれば次のような効果がある。
請求項１，２、３および４の発明によれば、カードリーダがＩＤ情報を読み込む毎にイベント番号を割り当て、カメラの画像にこのイベント番号を付加して保存し、このイベント番号をキーにして画像を取り出すようにした。
【００１６】
従来、入退出管理システムとカメラ監視システムを連動させるためには、両システムの時刻が一致していなければならずシステム管理が煩雑になっていたが、本発明ではイベント番号をキーにして画像を検索するようにしたので、システム内の各要素の時刻が一致していなくても、目的の画像を簡単に取り出すことができるという効果がある。
【００１７】
また、連続した画像に画像記録装置のローカル時刻を添付して保存することにより、時間を追って画像を表示することができるという効果もある。
【発明を実施するための最良の形態】
【００１８】
以下本発明を図面を用いて詳細に説明する。図１は本発明に係る入退出管理システムの一実施例を示す構成図である。なお、図６と同じ要素には同一符号を付し、説明を省略する。この実施例では、ネットワークカメラ１１〜１ｎ、画像記録装置６１、入退管理コントローラ６２、入退管理用パソコン６３がネットワーク５３で接続される。画像記録装置６１はネットワークカメラ１１〜１ｎの画像データを保存し、入退管理コントローラ６２はカードリーダ３１〜３ｎからのＩＤ情報に基づいて電気錠４１〜４ｎを制御する。入退管理用パソコン６３はシステム全体を管理し、また画像記録装置６１に保存された画像データを検索して表示する。すなわち、入退管理用パソコンは画像検索装置の機能を有する。
【００１９】
次に、入室するときの動作を図２および図３に基づいて説明する。なお、図１と同じ要素には同一符号を付し、説明を省略する。また、カードリーダは３１を、電気錠は４１を使用するものとする。
【００２０】
図２において、カードリーダ３１は差し込まれたＩＤカードからＩＤ情報を読み取り、入退管理コントローラ６２に送信する。入退管理コントローラ６２は受信したＩＤ情報により電気錠４１を開錠し、カメラ番号、ＩＤ情報、割り当てたイベント番号を画像記録装置６１と入退管理用パソコン６３に送信する。画像記録装置６１は受信したＩＤ情報とイベント番号を画像に付加して保存する。また、入退管理用パソコン６３は受信したＩＤ情報、カメラ番号、イベント番号および時刻の入退履歴情報をデータベースに保存する。
【００２１】
次に、図３フローチャートに基づいてこの実施例の動作を詳細に説明する。工程（Ｐ３−１）でＩＤカードがカードリーダ３１に挿入されると、カードリーダ３１は挿入されたＩＤカードからＩＤ情報を読み取り、入退管理コントローラ６２に送信する（工程（Ｐ３−２））。
【００２２】
次に工程（Ｐ３−３）で、ＩＤ情報を受信した入退管理コントローラ６２は、受信したＩＤ情報にイベント番号を割り当てる。イベント番号はカードリーダ３１〜３ｎ毎に、カード読み取り回数に応じて付けられる重複しない番号である。
【００２３】
そして、工程（Ｐ３−４）でカードリーダ３１と対になったネットワークカメラ１１のカメラ番号を設定情報から読み出し、このカメラ番号とＩＤ情報、イベント番号を画像記録装置６１に送信し、録画を指示する。そして、工程（Ｐ３−５）で画像記録装置６１に送信したＩＤ情報、カメラ番号、イベント番号と現在時刻を入退管理用パソコン６３に送信する。
【００２４】
入退管理コントローラ６２は工程（Ｐ３−６）でカードリーダ３１から受信したＩＤ情報が登録されているかを調べ、登録されていると工程（Ｐ３−７）で電気錠４１を開錠する。登録されていないと工程（Ｐ３−７）をスキップし、開錠しない。
【００２５】
次に、録画を指示された画像記録装置６１は、工程（Ｐ３−８）でネットワークカメラ１１から送られてきた画像データにＩＤ情報、カメラ番号とイベント番号を付加し、この画像データを保存する。すなわち録画する。また、工程（Ｐ３−９）で入退管理用パソコン６３は、受信したＩＤ情報、カメラ番号、イベント番号、時刻を入退出履歴データとしてデータベースに保存する。なお、退出するときの動作も同じなので、説明を省略する。
【００２６】
次に、図４に基づいて、画像データを取り出すときの動作を説明する。なお、図１と同じ要素には同一符号を付し、説明を省略する。図４において、入退管理用パソコン６３は入退出履歴データから取得したイベント番号、ＩＤ情報、カメラ番号を添付して、画像取得要求を画像記録装置６１に送信する。画像記録装置６１は、受信したデータに基づいて画像データを検索し、見つかった画像データを入退管理用パソコン６３に送信する。入退管理用パソコン６３は、この画像データを表示する。
【００２７】
次に、図５フローチャートにより、この動作を詳細に説明する。なお、この実施例では社員Ａの画像データを取り出すものとする。図５において、工程（Ｐ５−１）で入退管理用パソコン６３はデータベースから社員Ａの入退出履歴データを取り出し、この履歴データからＩＤ情報、イベント番号およびカメラ番号を取り出す。そして工程（Ｐ５−２）において、取り出したＩＤ情報、イベント番号、カメラ番号を添付した画像取得要求を画像記録装置６１に送信する。
【００２８】
次に、工程（Ｐ５−３）で、画像記録装置６１は受信したＩＤ情報、イベント番号、カメラ番号をキーにして画像データを検索し、見つかった画像データを入退管理用パソコン６３に送信する。工程（Ｐ５−４）で、入退管理用パソコン６３は受信した画像データを自身の表示器に表示する。
【００２９】
すなわち、カードリーダ３１がＩＤ情報を読み込む毎に重複しないイベント番号を割り当てて、このイベント番号およびＩＤ情報とカメラ番号を画像データに付加して保存し、この保存した画像データをイベント番号、ＩＤ情報、カメラ番号をキーにして検索して、ヒットした画像データを表示するようにする。このため、画像記録装置６１、入退管理コントローラ６２、入退管理用パソコン６３の間で時刻を合わせなくても、目的の画像データを取り出すことができる。
【００３０】
なお、画像記録装置６１が入退管理コントローラ６２から録画を指示されてから所定の時間連続して録画を行う場合、画像データに画像記録装置６１に内蔵された時計の時刻を添付すると、カードリーダ３１にＩＤカードを挿入してから扉を開け、入室するまでの動作を時間を追って表示することができる。この添付する時間は画像データの前後関係を指定するためだけのものであるので、絶対的な精度は必要なく、また入退管理コントローラ６２等との時刻と一致している必要もない。
【００３１】
また、カードリーダ３１〜３ｎがＩＤ情報を読み込む毎にイベント番号が割り当てられ、かつ各カードリーダには特定のネットワークカメラが割り当てられている。すなわち、イベント番号が決まるとＩＤ情報とカメラ番号も特定される。そのため、イベント番号とＩＤ情報、カメラ番号との関係を示すテーブルを作成して検索時に参照するようにすれば、画像データには最低限イベント番号のみを添付すればよい。
【００３２】
さらに、入退管理用パソコン６３にはカードリーダ３１〜３ｎがＩＤ情報を読み出した時刻も保存されているので、特定の時間範囲に発生したイベント番号を特定することができる。このイベント番号をキーにして画像データを検索すれば、特定の時間範囲に発生した入退出記録を取り出すこともできる。
【図面の簡単な説明】
【００３３】
【図１】本発明の一実施例を示す構成図である。
【図２】本発明の一実施例の動作を示す構成図である。
【図３】本発明の一実施例の動作を示すフローチャートである。
【図４】本発明の一実施例の動作を示す構成図である。
【図５】本発明の一実施例の動作を示すフローチャートである。
【図６】従来の入退管理システムおよびカメラ監視システムの構成図である。
【符号の説明】
【００３４】
１１〜１ｎ  ネットワークカメラ
３１〜３ｎ  カードリーダ
４１〜４ｎ  電気錠
５３  ネットワーク
６１  画像記録装置
６２  入退管理コントローラ
６３  入退管理用パソコン
【図１】
2007317055.tif 000003
【図２】
2007317055.tif 000004
【図３】
2007317055.tif 000005
【図４】
2007317055.tif 000006
【図５】
2007317055.tif 000007
【図６】
2007317055.tif 000008